(57)【要約】【課題】ディスク検出機構の省スペース化及び部品点数の削減を図ることを目的とする。【解決手段】この発明に係るディスク検知機構は、ディスク当接部２４ａとバネ当接部２４ｂとを有し、ベース（クランプユニット４）に回動自在に軸止された検知レバー２４と、初期状態では、バネ当接部２４ｂの当接で検知レバー２４を一方向に付勢する第１のバネ部（バネ部２７ａ）と、挿入されたディスク２３で検知レバー２４が押し動かされた後はバネ当接部２４ｂの当接で検知レバー２４を他方向に付勢する第２のバネ部（バネ部２７ａ）とを折り曲げ形成した板バネ部材２７とを備えている。【選択図】図１０
2009093686.tif 000002
【特許請求の範囲】
【請求項１】
ディスク当接部とバネ当接部とを有し、ベースに回動自在に軸止された検知レバーと、
初期状態では、前記バネ当接部の当接で前記検知レバーを一方向に付勢する第１のバネ部と、挿入されたディスクで前記検知レバーが押し動かされた後は前記バネ当接部の当接で該検知レバーを他方向に付勢する第２のバネ部とを折り曲げ形成した板バネ部材とを備えたディスク検知機構。
【請求項２】
前記検知レバーは、前記板バネ部材と重ねてベースに回動可能に支持させたことを特徴とする請求項１記載のディスク検知機構。
【請求項３】
前記板バネ部材は、ディスク挿入時にディスクの外周と当接してディスクを搬送完了位置に位置決めするディスク位置規制部を有することを特徴とする請求項１または請求項２記載のディスク検知機構。
【発明の詳細な説明】
【技術分野】
【０００１】
この発明は、ディスク再生装置に搭載されるディスク検知機構に関するものである。
【背景技術】
【０００２】
従来のディスク検知機構としては、装置内に挿入された小径ディスクを所定の位置に位置決めするとともに、装置内に挿入された大径ディスクにより倒伏する回動可能なロックピンと、装置内に挿入された大径ディスクが前端ピンに当接して回動するディスク検知レバーと、ディスク検知レバーを反対方向に回動付勢する引張りコイルバネと、ディスク検知レバーの回動により横方向に移動してロックピンを直立状態と倒伏状態とに選択的にロックするロックプレートと、小径ディスクまたは大径ディスクの外周が当接する作動ピンを一端部に有し、ロックプレートの移動により第１の回動支点位置と第２の回動支点位置とに位置決めされる差動レバーと、差動レバーの他端部に係合ピンが係合して差動レバーの回動に連動して回動する駆動レバーとを備えたディスク検出装置が提供されている（例えば、特許文献１参照）。
【０００３】
【特許文献１】特開２００３−１２３３６０号公報
【発明の開示】
【発明が解決しようとする課題】
【０００４】
従来のディスク検知機構は、以上のように構成されていたので、ディスク搬送完了の検知レバーの反転機構に引張りコイルバネ等を使用しており、引張りコイルバネと検知レバーの動作領域のオーバーラップを回避するために、ディスク検知機構（メカニズム）の厚さ方向及び平面方向に空間を要するという課題があった。
また、検知レバーの組み立てにおいては、検知レバーの固定に別の固定部材を要するという課題があった。
【０００５】
この発明は上記のような課題を解消するためになされたもので、ディスクのローディング位置への搬送完了を検知する検知レバーを、ディスク再生時にディスクより退避させる反転機構に板バネ部材を用いることにより、省スペース化及び部品点数の削減を図ることを目的とする。
【課題を解決するための手段】
【０００６】
この発明に係るディスク検知機構は、ディスク当接部とバネ当接部とを有し、ベースに回動自在に軸止された検知レバーと、初期状態では、バネ当接部の当接で検知レバーを一方向に付勢する第１のバネ部と、挿入されたディスクで検知レバーが押し動かされた後はバネ当接部の当接で検知レバーを他方向に付勢する第２のバネ部とを折り曲げ形成した板バネ部材とを備えたものである。
【発明の効果】
【０００７】
この発明によれば、ディスクの搬送完了を検知する検知レバーの反転機構を板バネ部材で構成したことにより、省スペース化及び部品点数の削減を図ることができる。
【発明を実施するための最良の形態】
【０００８】
実施の形態１．
以下、この発明の実施の形態１について説明する。なお、以降の説明で「ディスク」とは、記憶媒体（ＤＶＤ、ＣＤ、ＣＤ−Ｒ等）を指すものとする。
図１は、この発明の実施の形態１に係るディスク検知機構を搭載したディスク再生装置の内部構成を示した斜視図、図２は、図１のディスク再生装置にディスクが挿入された状態を示した斜視図、図３は、図１のディスク再生装置から再生ユニット、ベース、及び防振機構部を取り外した状態を示した斜視図、図４は、図２中の検知レバーがラック部材に動力を伝達する様子を示した部分拡大図、図５は、図１中の搬送機構により搬送されたディスクが検知レバーを押す前の状態を示した平面図、図６は、図１中の搬送機構により搬送されたディスクが検知レバーを押した後の状態を示した平面図、図７は、図５中のディスクに押される前の検知レバーの周辺を拡大して、図５と反対側から見た裏面図、図８は、図６中のディスクに押された後の検知レバーの周辺を拡大して、図６と反対側から見た裏面図、図９は、図７，８中の検知レバー及び板バネ部材の組立前の分解斜視図、図１０は、図７，８中の板バネ部材の一部がディスクのローディング位置を規制する様子を示した平面図である。図１０は、図８と同状態での、ディスクとディスク検知機構との位置関係を示している。
【０００９】
次に、図１〜１０に基づいて、本発明に係るディスク検知機構と同ディスク検知機構を搭載したディスク再生装置の構成について説明する。
図１に示すように、本ディスク再生装置は、挿入されたディスク２３をローラで搬送する搬送機構１と、モータＭの駆動力をロック機構部２１に伝達するギアユニット２と、ディスク２３を再生する再生ユニット３と、ディスク２３を再生ユニット３に設けられたターンテーブル３ａ上に保持するクランプユニット４と、再生ユニット３への装置外部からの振動伝達を抑制する防振機構部１１と、防振状態の再生ユニット３をディスク２３のローディング及びイジェクト時に固定するロック機構部２１と、全体のベースとなるフレーム部２２、及びディスク２３のローディング位置への搬送完了を検知するディスク検知機構を備えている。
また、図３に示すように、ロック機構部２１は、ラック部材２５と複数のロック部材２６ａ〜２６ｄを有する。
更に、図７〜９に示すように、ディスク検知機構は検知レバー２４と板バネ部材２７を備えている。
【００１０】
図７〜９に示すように、検知レバー２４は、略一方向に延出する板状部材である。検知レバー２４は、長手方向の一端で、片側に突出したディスク当接部２４ａを備えている。
また、検知レバー２４は、長手方向の中間付近で、ディスク当接部２４ａと同側に突出したバネ当接部２４ｂを備えている。ディスク当接部２４ａとバネ当接部２４ｂは、それぞれ、検知レバー２４の板状部分に対して垂直上方に延出した円柱状部を有している。
また、検知レバー２４は、長手方向の他端（ディスク当接部２４ａと反対側）にＬ字形の作動部２４ｃを有する。作動部２４ｃの曲折部分は直角でなくてもよい。
更に、検知レバー２４は、長手方向の中間付近に穴部２４ｄを形成している。
【００１１】
板バネ部材２７は、くの字形の板状部材である。板バネ部材２７は、板状部分の上端に対して垂直下方に突出した係止部２７ｂを備えている。
また、板バネ部材２７は、板状部分の下端の両側を垂直上方に折り曲げ、片側にバネ部２７ａを、もう片側にはディスク位置規制部２７ｃを形成している。バネ部２７ａは更に折り曲げられ、筐体の横方向に平行な水平面（第２のバネ部）２７ａ−２と、同横方向に対して傾斜した傾斜面（第１のバネ部）２７ａ−１を形成している。ディスク位置規制部２７ｃは更に両端を折り曲げ形成している。
更に、板バネ部材２７の上端には穴部２７ｄを形成している。
【００１２】
図９に示すように、先ず、検知レバー２４の長手方向の中間付近に設けられた穴部２４ｄに、クランプユニット４から垂直上方に突出した軸（ボス軸）４ａを挿通する。
そして、クランプユニット４に回転自在に軸止された検知レバー２４の上から、板バネ部材２７をクランプユニット４に取り付ける。
具体的には、板バネ部材２７の係止部２７ｂをクランプユニット４の係止穴４ｂに係止する。
更に、検知レバー２４が脱落しないように、板バネ部材２７の上端に設けられた穴部２７ｄをクランプユニット４の軸４ａに嵌着する。
【００１３】
それと同時に、バネ部２７ａとディスク位置規制部２７ｃの間の固定部２７ｅを、クランプユニット４の固定部４ｃに固定する。固定部２７ｅは、直線上に穴部、ボスの順に配置している。また、固定部４ｃは、固定部２７ｅの穴部と対向する位置にボスを、固定部２７ｅのボスと対向する位置に穴部を配置している。穴部またはボスを同一平面上に並べて配置することで、板バネ部材２７のがたつき（回転）を防止している。ボスと穴部との組み合わせは、固定部４ｃと固定部２７ｅとが嵌合可能であれば任意である。
【００１４】
次に、動作について説明する。
図７に示すように、ディスク２３が検知レバー２４を押していない場合（初期状態）では、検知レバー２４のバネ当接部２４ｂが板バネ部材２７のバネ部２７ａに当接している。バネ当接部２４ｂがバネ部２７ａの傾斜面（第１のバネ部）２７ａ−１に押されるので、検知レバー２４は、軸４ａを中心として反時計回りに回転する方向、即ち、図７中の矢印Ａ方向に付勢される。なお、検知レバー２４の作動部２４ｃがクランプユニット４の側壁に掛かることにより、検知レバー２４は図７の状態（初期状態）を超えて矢印Ａ方向には回転しない。
【００１５】
図４に示すように、ディスク挿入時には、ディスク再生装置のディスク挿入口に設けたセンサ（図示せず）でディスク２３を検出し、その検出信号を受信した制御回路（図示せず）によってモータＭを起動させ、モータＭが搬送機構１のローラを駆動させる。ローラはディスク２３を挿入する方向（時計回り）に回転する。
それと同時に、モータＭの駆動力を利用して、ギアユニット２が装置内側から見て時計回りに回転する。
【００１６】
図２，５に示すように、搬送機構１により搬送されたディスク２３が、再生ユニット３の所定の位置、即ちターンテーブル３ａの中心とディスク２３の中心と一致する位置にローディングされる過程において、クランプユニット４に組み付けられた検知レバー２４がディスク２３の周面により押される。
そして、図６に示すように、搬送機構１が継続してディスク２３を搬送することにより、ディスク２３の周面が検知レバー２４を押し込む。
【００１７】
図８に示すように、搬送されたディスク２３の周面がディスク当接部２４ａに当接して押すことにより、検知レバー２４は軸４ａを中心として図８中の矢印Ｂ方向に回転する。
検知レバー２４が一定角度回転すると、バネ当接部２４ｂは、バネ部２７ａの傾斜面（第１のバネ部）２７ａ−１から水平面（第２のバネ部）２７ａ−２に移動する（乗り上げる）。この時、バネ当接部２４ｂは、バネ部２７ａの水平面２７ａ−２から図８中の矢印Ｃ方向に付勢され、ディスク当接部２４ａはディスク２３の周面から離間する。即ち、検知レバー２４は、図８中の矢印Ｂの方向に付勢された状態となる。
【００１８】
図１０に示すように、搬送されたディスク２３がローディング位置に到達すると、ディスク２３の周面が板バネ部材２７のディスク位置規制部２７ｃに当接して停止する。即ち、ディスク２３はこれ以上前進しなくなる。図８で説明したように、ディスク２３の周面からディスク当接部２４ａは離間（退避）しているので、ディスク２３の再生時にディスク２３の周面がディスク当接部２４ａと接触することはない。この状態で、板バネ部材２７の作動部２４ｃがラック部材２５を押す。
【００１９】
図４に示すように、検知レバー２４がラック部材２５を押すことにより、ギアユニット２とラック部材２５は噛み合うので、ラック部材２５は図４中の矢印Ａ方向に移動する。検知レバー２４に押されたラック部材２５は、ギアユニット２に係合する。ラック部材２５がギアユニット２と係合することにより、ラック部材２５を介して、ロック部材２６ａ〜２６ｄにモータＭの駆動力が伝達され、再生ユニット３はロック解除状態となる。それと同時に、再生ユニット３は、防振機構部１１により防振状態となる。
【００２０】
一方、ディスクイジェクト時には、イジェクト信号等を受信する等して、モータＭがローディング時と反対方向に搬送機構１のローラを駆動させる。つまり、ローラはディスク２３を排出する方向（反時計回り）に回転する。
それと同時に、モータＭの駆動力を利用して、ギアユニット２が装置内側から見て反時計回りに回転（逆回転）する。
ギアユニット２とラック部材２５は噛み合っているので、ラック部材２５は図４中の矢印Ｂ方向に移動する。
ラック部材２５は、ロック部材２６ａ〜２６ｄをロック動作へ移行させて、再生ユニット３をロック状態とする。
そして、ラック部材２５は、検知レバー２４を押すことで、検知レバー２４がディスク２３を押し出すと共に、搬送機構１のローラがイジェクト方向にディスク２３を搬送する。
【００２１】
以上のように、この実施の形態１によれば、ディスク２３の搬送完了を検知する検知レバー２４の反転機構に板バネ部材２７を用いることにより、検知レバー２４と板バネ部材２７の動作範囲のオーバーラップが可能となると同時に、板バネ部材２７の動作範囲も少なくなるため、省スペースで反転機構を構成できる。
また、板バネ部材２７の一部にて検知レバー２４の固定を行い、更には、板バネ部材２７の一部を用いてディスク位置規制部２７ｃを形成することにより、部品点数の削減が可能となる。
更に、板バネ部材２７にて検知レバー２４を反転させることにより、従来のディスク検知機構で懸案とされていたバネ外れを防止することができる。
【図面の簡単な説明】
【００２２】
【図１】この発明の実施の形態１に係るディスク検知機構を搭載したディスク再生装置の内部構成を示した斜視図である。
【図２】図１のディスク再生装置にディスクが挿入された状態を示した斜視図である。
【図３】図１のディスク再生装置から再生ユニット、ベース、及び防振機構部を取り外した状態を示した斜視図である。
【図４】図２中の検知レバーがラック部材に動力を伝達する様子を示した部分拡大図である。
【図５】図１中の搬送機構により搬送されたディスクが検知レバーを押す前の状態を示した平面図である。
【図６】図１中の搬送機構により搬送されたディスクが検知レバーを押した後の状態を示した平面図である。
【図７】図５中のディスクに押される前の検知レバーの周辺を拡大して、図５と反対側から見た裏面図である。
【図８】図６中のディスクに押された後の検知レバーの周辺を拡大して、図６と反対側から見た裏面図である。
【図９】図７，８中の検知レバー及び板バネ部材の組立前の分解斜視図である。
【図１０】図７，８中の板バネ部材の一部がディスクのローディング位置を規制する様子を示した平面図である。
【符号の説明】
【００２３】
１  搬送機構、２  ギアユニット、３  再生ユニット、３ａ  ターンテーブル、４  クランプユニット、４ａ  軸、４ｂ  係止穴、４ｃ  固定部、１１  防振機構部、２１  ロック機構部、２２  フレーム部、２３  ディスク、２４  検知レバー、２４ａ  ディスク当接部、２４ｂ  バネ当接部、２４ｃ  作動部、２４ｄ  穴部、２５  ラック部材、２６ａ〜２６ｄ  ロック部材、２７  板バネ部材、２７ａ  バネ部、２７ａ−１  傾斜面、２７ａ−２  水平面、２７ｂ  係止部、２７ｃ  ディスク位置規制部、２７ｄ  穴部、２７ｅ  固定部。
【図１】
2009093686.tif 000003
【図２】
2009093686.tif 000004
【図３】
2009093686.tif 000005
【図４】
2009093686.tif 000006
【図５】
2009093686.tif 000007
【図６】
2009093686.tif 000008
【図７】
2009093686.tif 000009
【図８】
2009093686.tif 000010
【図９】
2009093686.tif 000011
【図１０】
2009093686.tif 000012